(57)【要約】【課題】電気機器において、フォーマットが異なる複数種のリモコン信号からリモコンコードを読み取ることが可能であって、しかも受信したリモコン信号からリモコンコードを確実に読み取ることができるようにする。【解決手段】テレビジョン受信機は、フォーマットが異なる複数種のリモコン信号を送信する複数のリモコン装置からのリモコン信号を受信し、該リモコン信号に基づいた動作制御を受けるものであり、受信したリモコン信号からリモコンコードを読み取る受信用ＩＣ１２と、受信用ＩＣ１２により読み取られたリモコンコードに基づき、機器の動作を制御する制御部とを有する。受信用ＩＣ１２は、複数種のリモコン信号の各フォーマットＡ、Ｂ、Ｃに対応して設けられた複数のサブマイコン１２ａ，１２ｂ，１２ｃで構成される。各サブマイコン１２ａ，１２ｂ，１２ｃは、読み取ったリモコンコードを共通のフォーマットＺに変換して制御部に出力する。【選択図】図３
2011114639.tif 000002
【特許請求の範囲】
【請求項１】
フォーマットが異なる複数種のリモコン信号を送信する１又は複数のリモコン装置からのリモコン信号を受信し、該リモコン信号に基づいた動作制御を受ける電気機器において、
前記受信したリモコン信号からリモコンコードを読み取るコード読み取り手段と、
前記コード読み取り手段により読み取られたリモコンコードに基づき、機器の動作を制御するためのコマンドを生成する制御手段とを有し、
前記コード読み取り手段は、前記複数種のリモコン信号の各フォーマットに対応して設けられた複数のサブマイコンで構成され、
前記各サブマイコンは、読み取ったリモコンコードを共通のフォーマットに変換して前記制御手段に出力することを特徴とする電気機器。
【請求項２】
前記各サブマイコンは、前記制御手段とＯＲ回路を介して接続されることを特徴とする請求項１に記載の電気機器。
【発明の詳細な説明】
【技術分野】
【０００１】
本発明は、リモコン装置から送信されるリモコン信号を受信し、該リモコン信号に基づいた動作制御を受ける電気機器に関する。
【背景技術】
【０００２】
近年、テレビジョン受像機やＤＶＤプレーヤ等の電気機器を操作するためのリモコン装置として、電気機器の機種又は製造メーカ毎に所定のリモコンコードがプリセットされた、いわゆるユニバーサルリモコンが普及している。ところで、上記のような電気機器においては、製造時期に応じてリモコン信号のフォーマットが変わることがあるため、上記のユニバーサルリモコンや機器付属のリモコンを含む各種リモコン装置に対応できるように、フォーマットが異なる複数種のリモコン信号により動作制御されることが求められている。
【０００３】
ここに、特許文献１には、電源投入後に最初に受信したリモコン信号のフォーマット判別を行い、判別されたフォーマットのリモコン信号を受信可能に設定する電気機器が開示されている。また、特許文献２には、受信対象とするリモコン信号の設定を行うためのスイッチを有し、複数種類のリモートコントロール装置のうちのいずれか１つに対応可能に設定される電気機器が開示されている。また、特許文献３には、リモコン信号の受信処理を行うためのプログラムを各フォーマット毎に記憶しておき、このプログラムの中からユーザが設定したリモコン装置に応じたプログラムを実行する電気機器が開示されている。
【０００４】
しかしながら、上記のような従来の電気機器では、リモコン信号の受信設定を変更しない限り１種類のリモコン信号しか扱うことができないため、ユーザは、操作するリモコン装置に応じてこの受信設定を切り替える必要がある。このような問題に対し、リモコン信号を受信する度に信号のフォーマット判別を行って、判別したフォーマットに対応する信号読み取りプログラムを実行するようにした場合、電気機器側のプログラムが複雑になり、リモコンコードの誤判別も生じ得る。
【０００５】
なお、特許文献４には、テレビと接続された録画装置への録画予約を容易に行えるように、テレビへのリモコン操作入力に伴ってテレビから録画機器に録画予約のためのリモコン信号を送信する技術が記載されているが、このような技術も、上記複数種のリモコン信号を同時に受信対応できないという問題を解決するものではない。
【先行技術文献】
【特許文献】
【０００６】
【特許文献１】特開２００３−２３３９７７号公報
【特許文献２】国際公開第９９／４９６５２号
【特許文献３】特開２００６−１１５２３２号公報
【特許文献４】特開２００５−１４３１２４号公報
【発明の概要】
【発明が解決しようとする課題】
【０００７】
本発明は、上記問題を解決するためになされたものであり、フォーマットが異なる複数種のリモコン信号からリモコンコードを読み取ることが可能であって、しかも受信したリモコン信号からリモコンコードを確実に読み取ることができる電気機器を提供することを目的とする。
【課題を解決するための手段】
【０００８】
上記目的を達成するために請求項１の発明は、フォーマットが異なる複数種のリモコン信号を送信する１又は複数のリモコン装置からのリモコン信号を受信し、該リモコン信号に基づいた動作制御を受ける電気機器において、前記受信したリモコン信号からリモコンコードを読み取るコード読み取り手段と、前記コード読み取り手段により読み取られたリモコンコードに基づき、機器の動作を制御するためのコマンドを生成する制御手段とを有し、前記コード読み取り手段は、前記複数種のリモコン信号の各フォーマットに対応して設けられた複数のサブマイコンで構成され、前記各サブマイコンは、読み取ったリモコンコードを共通のフォーマットに変換して前記制御手段に出力するものである。
【０００９】
請求項２の発明は、請求項１に記載の発明において、前記各サブマイコンは、前記制御手段とＯＲ回路を介して接続されるものである。
【発明の効果】
【００１０】
請求項１の発明によれば、リモコン信号の各フォーマットに対応して複数のサブマイコンが設けられ、各サブマイコンが読み取ったリモコンコードを共通のフォーマットに変換してから制御手段に出力するようにしたので、フォーマットが異なる複数種のリモコン信号からリモコンコードを読み取ることが可能となり、しかも、受信したリモコン信号を処理するために複雑なソフトウエア（プログラム）構成を必要とせず、受信したリモコン信号からリモコンコードを確実に読み取ることができる。
【００１１】
請求項２の発明によれば、複数のサブマイコンの一つからのリモコンコードのみを制御手段に送ることができる。また、あるサブマイコンから出力されたリモコンコードに基づく信号電流が他のサブマイコンに入ることを防止できる。
【図面の簡単な説明】
【００１２】
【図１】本発明の一実施形態に係るテレビジョン受像機、及びこの受像機を遠隔操作するための複数のリモコン装置のブロック図。
【図２】（ａ）乃至（ｃ）は各リモコン装置から送信されるリモコン信号の構成図。
【図３】上記テレビジョン受像機の受信用ＩＣのブロック図。
【発明を実施するための形態】
【００１３】
本発明の一実施形態に係る電気機器であるテレビジョン受像器（以下、テレビという）について図面を参照して説明する。図１は本実施形態に係るテレビ１、及びテレビ１を遠隔操作するための複数のリモコン装置２乃至４の構成を示す。テレビ１は、リモコン装置２乃至４から送信されるリモコン信号を受信する受信部１１と、受信部１１により受信されたリモコン信号からリモコンコードを読み取る受信用ＩＣ（コード読み取り手段）１２と、受信用ＩＣ１２により読み取られたリモコンコードに基づき、テレビ１の動作を制御する制御部（制御手段）１３とを備える。また、テレビ１は、アンテナ１４を介して受信したテレビジョン信号を制御部１３の制御に基づいて受像回路１５で処理し、ＣＲＴ１６及びスピーカ１７に出力するように構成されており、リモコン装置２乃至４により、電源のオン・オフやチャンネルの切替え等の各種動作が操作される。
【００１４】
リモコン装置２乃至４は、互いに異なるフォーマットのリモコン信号を送信するものであり、リモコン装置２はフォーマットＡから成るリモコン信号ｒａを、リモコン装置３はフォーマットＢから成るリモコン信号ｒｂを、リモコン装置３はフォーマットＣから成るリモコン信号ｒｃを送信する。リモコン装置２は、ユーザにより操作されるキースイッチ２１と、キースイッチ２１による操作入力に応じてコード情報を生成する送信用ＩＣ２２と、送信用ＩＣ２２により生成されたリモコンコードをリモコン信号として送信する送信部２３とを有している。リモコン装置３及び４についても、上記と同様の構成である。
【００１５】
図２（ａ）（ｂ）（ｃ）は、それぞれリモコン信号ｒａ、ｒｂ、ｒｃのフォーマット構成を示す。図２（ａ）に示されるように、リモコン信号ｒａは、リードコード、ヘッダコード及びデータコードが連続的に送信される構成となっている。ここに、リードコードとは、これからデータを送信することを受信側に知らせるためのものである。ヘッダコードとは、メーカ及び機器毎に決められたコードであって、受信側となるテレビ１はこのコードによって自分に対する命令かどうか判断する。データコードとは、各キースイッチ２１、３１、４１に対応したリモコンコードであり、テレビ１はこのコードによってどのような動作をするのか識別する。図２（ｂ）に示されるリモコン信号ｒｂは、リードコード、ヘッダコード及びデータコードで構成され、ヘッダコードの区間がリモコン信号ｒａのものより短くなっている。図２（ｃ）に示されるリモコン信号ｒｃは、ヘッダコードがなく、リードコードとデータコードとが連続する構成となっている。
【００１６】
図３はテレビ１の受信用ＩＣ１２の構成を示す。受信用ＩＣ１２は、リモコン信号の各フォーマットＡ、Ｂ、Ｃに対応して設けられた複数のサブマイコン１２ａ乃至１２ｃと、各サブマイコン１２ａ乃至１２ｃにより読み取られたリモコンコードが出力されるＯＲ回路１２ｄとを有している。各サブマイコン１２ａ、１２ｂ、１２ｃは、読み取ったリモコンコードを所定のフォーマットＺに変換して出力するものであって、サブマイコン１２ａはフォーマットＡのリモコン信号ｒａからコードを読み取ってフォーマット変換を行い、サブマイコン１２ｂはフォーマットＢのリモコン信号からコードを読み取ってフォーマット変換を行い、サブマイコン１２ｃはフォーマットＣのリモコン信号からコードを読み取りフォーマット変換を行う。ＯＲ回路１２ｄは、サブマイコン１２ａ〜１２ｃからのリモコンコードを選択的に制御部１３に送るためのものであり、また、あるサブマイコンから出力されたリモコンコードに基づく信号電流が他のサブマイコンに入ることを防止するためのものでもある。ＯＲ回路１２ｄに入力されたリモコンコードは、制御部１３に伝送される。
【００１７】
上記のように構成されたテレビ１におけるリモコン装置２乃至４により遠隔操作されたときの制御について説明する。ユーザによりリモコン装置２のキースイッチ２１が操作されると、送信用ＩＣ２２は、キー操作に応じたコード情報を生成し、送信部２３からフォーマットＡのリモコン信号ｒａを送信する。テレビ１は、リモコン装置２からのリモコン信号ｒａを受信部１１で受信する。受信したリモコン信号は一旦各サブマイコン１２ａ〜１２ｃに入力され、サブマイコン１２ａにてリモコンコードが読み取られ、フォーマットＺに変換された後、ＯＲ回路１２ｄを介して制御部１３に出力される。このとき、サブマイコン１２ｂ、１２ｃは、リモコン信号ｒａからリモコンコードを読み取ることができないので、ＯＲ回路１２ｄにリモコンコードを出力しない。制御部１３は、このリモコンコードに基づき機器の動作を制御するためのコマンドを生成し、受像回路１５、ＣＲＴ１６又はＳＰ１７に送出する。ここに、テレビ１の受信部１１が、リモコン装置３からのフォーマットＢのリモコン信号ｒｂを受信した場合、サブマイコン１２ｂにてリモコンコードが読み取られ、受信部１１がリモコン装置３からのフォーマットＣのリモコン信号ｒｃを受信した場合、サブマイコン１２ｃにてリモコンコードが読み取られる。
【００１８】
このように本実施形態に係るテレビジョン受像機１によれば、リモコン信号の各フォーマットに対応して複数のサブマイコン１２ａ乃至１２ｃが設けられ、各サブマイコン１２ａ乃至１２ｃにより読み取ったリモコンコードを共通のフォーマットＺに変換し、該コードに基づき機器の動作を制御するので、フォーマットが異なる複数種のリモコン信号ｒａ、ｒｂ、ｒｃからリモコンコードを読み取ることが可能となり、しかも、受信したリモコン信号を処理するために複雑なソフトウエア（プログラム）構成を必要とせず、受信したリモコン信号からリモコンコードを確実に読み取ることができる。
【００１９】
なお、本発明は、上記実施形態の構成に限られず、発明の趣旨を変更しない範囲で種々の変形が可能である。例えば、本発明が適用される電気機器は、テレビジョン受像機に限られず、ＤＶＤプレーヤやＨＤＤレコーダ等、リモコン装置で遠隔制御可能な機器であればよい。
【符号の説明】
【００２０】
１  テレビジョン受像機（電気機器）
２、３、４  リモコン装置
１２  受信用ＩＣ（コード読み取り手段）
１２ａ、１２ｂ、１２ｃ  サブマイコン
１２ｄ  ＯＲ回路
１３  制御部（制御手段）
【図１】
2011114639.tif 000003
【図２】
2011114639.tif 000004
【図３】
2011114639.tif 000005